(57)【要約】【課題】  ヘルメット着用者固有の各運転姿勢や移動器具の速度等の違いにかかわらず、目的の走行風の剥離機能を得る。【解決手段】  走行中におけるヘルメットＡ，Ｂ，Ｃの安定性の保持に関与する整流体４，７，９，１０を備えてなり、当該整流体４，７，９，１０は、ヘルメット着用者が当該着用者の固有の各運転姿勢や移動器具の速度に対応して、整流体４，７，９，１０の位置を前後方向に調節可能に、または走行風と対面する整流面４１，７１，９４の角度を調節可能に備えた。  【選択図】  図１
2006299456.tif 000002
【特許請求の範囲】
【請求項１】
走行中におけるヘルメットの空気の流れに対する安定性の保持に関与する整流体を帽体表面に備えてなり、当該整流体は、ヘルメット着用者が当該着用者の固有の各運転姿勢や移動器具の速度に対応して、整流体の位置を前後方向に調節可能に備えられているヘルメット。
【請求項２】
走行中におけるヘルメットの空気の流れに対する安定性の保持に関与する整流体を帽体表面に備えてなり、当該整流体は、ヘルメット着用者が当該着用者の固有の各運転姿勢や移動器具の速度に対応して、走行風と対面する整流面の角度を調節可能に備えられているヘルメット。
【請求項３】
走行中におけるヘルメットの空気の流れに対する安定性の保持に関与する整流体を帽体表面に備えてなり、当該整流体は、ヘルメット着用者が当該着用者の固有の各運転姿勢や移動器具の速度に対応して、整流体の位置を前後方向に調節可能、かつ走行風と対面する整流面の角度を調節可能に備えられているヘルメット。
【請求項４】
帽体の表面に空気の換気口を備えたヘルメットであって、前記整流体は、換気口付近の空気の流れを整流可能な範囲において、その相対的な位置を調節可能なものである請求項１ないし請求項３いずれか１項に記載のヘルメット。
【請求項５】
前記換気口を覆う通気カバーを備えたヘルメットであって、前記整流体を前記通気カバーと一体的な構造にしている請求項４に記載のヘルメット。
【発明の詳細な説明】
【技術分野】
【０００１】
本発明は、オートバイ、四輪自動車等各種移動車両、モーターボート、自転車等の船舶又は移動機具に乗る際に頭部及び顔面を保護するために被るヘルメットに関し、詳しくは、ヘルメット内の熱気を換気するための換気構造と、走行風をヘルメット表面から剥離するための整流構造を備えたヘルメットに関する。
【背景技術】
【０００２】
本発明に関連する先行技術文献情報として、たとえば、下記の特許文献１および特許文献２が有る。
【特許文献１】特開２０００−３２８３４３号公報
【特許文献２】ＷＯ２００２／１００２０４号公報
【発明の開示】
【発明が解決しようとする課題】
【０００３】
前記特許文献１に記載の構成は、走行風の剥離を行う部位(後部整流体)と、換気を行う部位(通路形成体)とを一体構造として帽体表面に取付けたものである。
また、前記特許文献２に記載の構成についても、走行風の剥離を行う部位(気流偏向面)と、換気を行う部位(換気口)とを一体構造として帽体表面に取付けたものである。
すなわち、前記特許文献１及び特許文献２の発明は、前記走行風の剥離を行って換気作用及び整流作用を高める点で有用なものである。
【０００４】
ところで、前記特許文献１および特許文献２に記載の発明は、走行風の剥離を行う部位と換気を行う部位とが一体であるとともに、帽体表面の定位置において不動状態で取り付けられているため、たとえば、ヘルメット着用者固有の運転姿勢や移動器具の速度等の違いによっては、目的の剥離機能が十分得られない場合があると考えられる。
【０００５】
そこで本発明は、ヘルメット着用者固有の各運転姿勢や移動器具の速度等の違いにかかわらず、目的の走行風の剥離機能を得ることを課題とし、この課題を解決するヘルメットの提供を目的とする。
【課題を解決するための手段】
【０００６】
本発明は、前記目的を達成するため、下記の技術的手段を採用した。
その技術的手段は、走行中におけるヘルメットの空気の流れに対する安定性の保持に関与する整流体を帽体表面に備えてなり、当該整流体は、ヘルメット着用者が当該着用者の固有の各運転姿勢や移動器具の速度に対応して、整流体の位置を前後方向に調節可能に備えられているヘルメットにしたことである。（第１発明）
また、走行中におけるヘルメットの空気の流れに対する安定性の保持に関与する整流体を帽体表面に備えてなり、当該整流体は、ヘルメット着用者が当該着用者の固有の各運転姿勢や移動器具の速度に対応して、走行風と対面する整流面の角度を調節可能に備えられているヘルメットにしたことである。（第２発明）
また、走行中におけるヘルメットの空気の流れに対する安定性の保持に関与する整流体を帽体表面に備えてなり、当該整流体は、ヘルメット着用者が当該着用者の固有の各運転姿勢や移動器具の速度に対応して、整流体の位置を前後方向に調節可能、かつ走行風と対面する整流面の角度を調節可能に備えられているヘルメットにしたことである（第３発明）。
また、帽体の表面に空気の換気口を備えたヘルメットである場合、排気口からの排気効率の向上という観点から、前記整流体は、換気口付近の空気の流れを整流可能な範囲において、その相対的な位置を調節可能なものであることが好ましい（第４発明）。
前記換気口を覆う通気カバーを備えたヘルメットである場合、通気カバーからの排気効率の向上および操作性の向上、良好なデザイン性の確保という観点から、前記整流体を前記通気カバーと一体的な構造にすることが好ましい（第５発明）。
【０００７】
整流体の位置を変更する構造として、たとえば、整流体と整流体を支持する支持部のいずれか一方側に前後方向に沿って開孔された長孔と、他方側に当該長孔に嵌合される嵌合体との組み合わせとし、前記嵌合体が整流体の位置を保持および保持解除する構造、整流体と整流体を支持する支持面に亘ってラチェットを設け、整流体を前記ラチェットの嵌合抵抗に抗して前後動させてその位置を変更する構造が挙げられる。
また、整流体の角度を変更する構造として、たとえば、整流体の前方側を回動可能に軸支し、整流体の後方側を上下させるとともに、任意の位置で保持する調整手段を備えた構造、整流体の前方側を回動可能に軸支し、当該軸支部の後方に整流体と整流体を支持する支持面に亘ってラチェットを設け、整流体をラチェットの嵌合抵抗に抗して上下動させてその位置を変更する構造が挙げられる。
【発明の効果】
【０００８】
本発明は、前記構成により下記の優れた効果が期待できる。
第１発明によれば、ヘルメット着用者が整流体の位置を、着用者の固有の各運転姿勢や移動器具の速度に対応する位置に変更することによって、目的の走行風の剥離機能を得ることができる。
また、第２発明によれば、ヘルメット着用者が整流体の角度を、着用者の固有の各運転姿勢や移動器具の速度に対応する角度に変更することによって、目的の走行風の剥離機能を得ることができる。
さらに、第３発明によれば、前記請求項１および請求項２の効果を有する上に、着用者の固有の各運転姿勢や移動器具の速度に対応する調整の自由度が拡大し、目的の走行風の剥離機能を向上させることができる。
さらに、第４発明によれば、前記第１および第２発明の効果に加えて、換気用の排気口付近が整流されるので、排気口からの排気を効率よく行うことができ、この効率的な排気によって走行風を効率よく吸入口からヘルメット内に入れることができるので、ヘルメット内の効率よい換気が期待できる。
また、第５発明によれば、通気カバーからの排気効率の向上および操作性の向上、良好なデザイン性の確保が期待できる。
【発明を実施するための最良の形態】
【０００９】
以下、本発明のヘルメットを実施するための最良の形態を図面に基づいて説明する。
図１〜図４は、本発明の第１の形態（ヘルメットＡ）を示し、図５〜図１１は、本発明の第２の形態（ヘルメットＢ）を示し、図１２・図１３は、本発明の第３の形態（ヘルメットＣ）を示す。
各形態で例示するヘルメットＡ〜Ｃの基本的構成は、繊維強化樹脂材で所定の形状に形成された帽体１の内側に、発泡スチロール、もしくは、これと同等の衝撃吸収性能を有する素材を用いて構成された衝撃吸収ライナーと、当該衝撃吸収ライナーの内側に配設されるウレタン材等でなる頭部内装部材および頬パッドが内装され、帽体１の正面開口部にシールド２を開閉可能に備え、ヘルメットＡ〜Ｃ内部の熱気を排気する左右２個の排気孔２Ｌ，２Ｒを備えているものである。
なお、本形態で例示するヘルメットは、フルフェース型のヘルメットであるが、本発明では、フルフェースヘルメットに限定するものではなくジェット型のヘルメットやハーフ型のヘルメットにおいても適用できる。
【００１０】
まず、本発明の第１の形態を説明する。
本形態のヘルメットＡは、前記排気口２Ｌ，２Ｒを覆い隠す通気カバー３Ｌ，３Ｒが帽体１表面に装着され、当該通気カバー３Ｌ，３Ｒに沿って整流体４が前後方向にスライドさせるスライド構造によりその位置を変更可能に装備されているものである。
本形態の通気カバー３Ｌ，３Ｒは、帽体１の前方から後方へ走行風を案内するように形成された略トンネル状のものであり、夫々、前端を吸気口３１とし、後端を排気口３２にしていて、走行風が吸気口３１から入り排気口３２から抜ける際に生じる負圧によって、通気カバー３Ｌ，３Ｒ内に位置する排気孔２Ｌ，２ＲからヘルメットＡ内の熱気を吸い上げるようにしている。
【００１１】
以下、本形態のヘルメットＡにおける前記整流体４のスライド構造を説明する。（図１、図２参照）
前記整流体４は、前方にスライド案内用の長孔４２を、後方に整流面４１を夫々有し、左右には、前記通気カバー３Ｌ，３Ｒ上に案内されてスライドするスライド面４３Ｌ，４３Ｒを有して整流体４が構成され、当該整流体４は、前記長孔４２から前記通気カバー３Ｌ，３Ｒの間の帽体１表面に開孔されたねじ孔１１に、整流体４の位置を固定および固定解除するビス１２をねじ込むことによって帽体１に装着されている。
すなわち、前記構成のスライド構造によれば、整流体４が前記ビス１２を緩めることによって通気カバー３Ｌ，３Ｒに沿って前後方向にスライド可能になり、前記ビス１２を締付けることによってその位置が保持される。
【００１２】
なお、前記整流体のスライド距離は、長孔の長さ分確保されていて、このスライド距離を変更するには、長短異なる長さの長孔を有した整流体を用意し、目的の長孔を有した整流体に交換することで達成できる。（図示せず）
【００１３】
以下、前後スライドする整流体４の他のスライド構造を説明する。（図３、図４参照）
本形態のスライド構造は、整流体４のスライドおよび固定をラチェットによって制御するようにしたものであり、前記と重複する部位についての説明は、同符号を付すことにより省略する。
【００１４】
前記整流体４は、前記通気カバー３Ｌ，３Ｒの間の帽体１表面に固着された固定板４４に、当該固定板４４と整流体４とに亘って設けられたラチェット５およびスライドガイド部６を介して取り付けることによって帽体１に装着されている。
ラチェット５は、前記固定板４４に多数の凹部５１を前記通気カバー３Ｌ，３Ｒの前後方向に沿って形成してなる２列の嵌合凹部５１Ｌ，５１Ｒを設ける一方、前記整流体４に前記嵌合凹部５１Ｌ，５１Ｒのいずれかの凹部５１に弾性を利用して嵌脱する弾性嵌合体５２Ｌ，５２Ｒを設けて構成されている。
スライドガイド部６は、前記固定板４４に、前記嵌合凹部５１Ｌ，５１Ｒの外側に位置するように当該嵌合凹部５１Ｌ，５１Ｒに沿う掛止突起５３Ｌ，５３Ｒを設ける一方、前記整流体４に前記掛止突起５３Ｌ，５３Ｒにスライド可能に掛止されるスライド突起５４Ｌ，５４Ｒを設けて構成されている。
すなわち、前記構成のスライド構造によれば、整流体４は、ラチェット５における嵌合凹部５１Ｌ，５１Ｒに対する弾性嵌合体５２Ｌ，５２Ｒの嵌合によりその位置が保持され、整流体４をラチェット５の弾性力よりも大きい力で持ってスライド動作させることによって、ラチェット５における嵌合凹部５１Ｌ，５１Ｒに対する弾性嵌合体５２Ｌ，５２Ｒの嵌合が解除され、掛止突起５３Ｌ，５４Ｒに沿うスライド突起５４Ｌ，５４Ｒのスライドによって整流体４が前後スライドする。
【００１５】
なお、前記整流体のスライド距離は、前記嵌合凹部および掛止突起の長さ分確保されていて、このスライド距離を変更するには、長短異なる長さの嵌合凹部および掛止突起を有した整流体を用意し、目的の嵌合凹部および掛止突起を有した整流体に交換することで達成できる。（図示せず）
また、前記ラチェットおよびスライドガイド部の構成部材の配設態様については、例示した態様と逆態様としても良い。
また、前記ラチェットおよびスライドガイド部の構成部材の一方を通気カバーに直接形成しても良い。
【００１６】
以下、本発明の第２の形態を説明する。
本形態のヘルメットＢは、前記で例示したヘルメットＡと同様に通気カバー３Ｌ，３Ｒを備えたものであり、当該通気カバー３Ｌ，３Ｒの間に整流体７を備えたものである。
また、本形態の整流体７は、軸支部Ｐを軸に回動してその角度を変更することによって、走行風に対する整流面７１の角度を変更可能にしたものである。
なお、前記ヘルメットＡと重複する部位についての説明は、図面に同符号を付すことにより省略する。
【００１７】
以下、本形態のヘルメットＢにおける前記整流体４の角度変更構造を説明する。（図５、図６参照）
本形態の整流体７は、前記通気カバー３Ｌ，３Ｒの間の帽体１表面に固着された軸支板４５に回動可能に軸支されている。
前記軸支板４５には、整流体７が適合して嵌合する大きさの空間Ｓが形成され、当該空間Ｓに整流体７が嵌合され、当該整流体７の前端側側面が空間Ｓの前端側側面に対して軸支されている。
また、前記整流体７は、その後端側底面と軸支板４５の底面４５１とに亘って設けられたボルト７２によって支持されている。
前記ボルト７２は、上端が前記整流体７の後端側底面に形成された長溝７３にスライド可能、かつ抜け止めされて嵌合され、下端が前記帽体１に設けられた台座部７４にねじ込まれている。
前記長溝７３は、後述する整流体７の角度変更時において、ボルト７２の嵌合位置のずれを吸収するためのものである。
前記ボルト７２周りにはダイヤル７５が固着され、このダイヤル７５を回転させることによってボルト７２が回転し、前記台座部７４に対するボルト７２の突出長さが長短調節される。
すなわち、本形態の角度変更構造によれば、前記ダイヤル７５を回転させて前記ボルト７２の突出長さを長くすることによって、前記整流体７の後端部を上方に持ち上げるとともに、その位置を保持する。
このとき、前記整流体７は、前記軸支部Ｐを回転中心として回転することによって、その角度が上方に変更される。
また、前記ダイヤル７３を逆回転させて前記ボルト７２の突出長さを短くすることによって、ボルト７２が前記整流体７の後端部を下方へ引き下げるとともに、その位置を保持する。
このとき、前記整流体７は、前記軸支部Ｐを回転中心として回転することによってその角度が下方に変更される。
前記の動作により、整流体７の角度が変更されて走行風に対する整流面７１の角度を変更することができる。
【００１８】
なお、前記整流体の角度変更範囲は、ボルトの上下動距離によって増減し、この角度変更範囲を変更するには、たとえば、長さの異なるボルトに交換することによって達成できる。（図示せず）
また、整流体を直接通気カバーに軸支しても良い。
【００１９】
以下、角度が変更される整流体７の他の角度変更構造を説明する。（図７〜図９参照）
本形態の角度変更構造は、レバー７６の左右回動操作によって、整流体７の角度を段階的に変更可能にしたものであり、前記と重複する部位についての説明は、同符号を付すことにより省略する。
【００２０】
前記整流体７の後端側底面には、多数の凹部７７を左右方向に、かつ長手方向に段々に高さが変るように並べて形成した凹部板７８が突設され、この凹部板７８における凹部７７の選択されたいずれかが前記レバー７６に設けられた凸部７９が嵌合するようにしている。
前記凹部７７は、円弧状に形成され、前記凸部７９は、前記凹部７７の円弧と適合する円弧状に形成されている。
前記レバー７６は、軸支板４５の底面４５２に左右回動可能に軸支されており、この左右回動操作によって、前記凸部７９の前記凹部７７に対する嵌合位置を変更するようにしている。
符号８０Ｌ，８０Ｒは、整流体７に固着された板ばねであり、符号８１Ｌ，８１Ｒは、前記底面４５２に形成され、前記板ばね８０Ｌ，８０Ｒを掛止する掛止部であって、当該掛止部８１Ｌ，８１Ｒに掛止された板ばね８０Ｌ，８０Ｒの付勢力を整流体７の下方への回動に作用させることによって、前記凸部７９の前記凹部７５に対する嵌合状態を保持している。
すなわち、本形態の角度変更構造によれば、前記レバー７６の左右回動操作によって、前記凸部の前記凹部７７に対する嵌合位置が変更され、この嵌合位置の変更によって前記整流体７の後端部が上下し、前記板ばね８０Ｌ，８０Ｒの付勢力によって嵌合状態が保持される。
このとき、前記整流体７は、前記軸支部Ｐを回転中心として回転することによって、その角度が変更される。
前記の動作により、整流体７の角度が変更されて走行風に対する整流面７１の角度を変更することができる。
【００２１】
なお、本形態では、板ばねを用いて整流体へ付勢力を作用させているが、本発明ではこの形態に限定するものではなく、引っ張りばねやゴムに代表されるような同様の付勢力を有する付勢手段によっても実施が可能である。
また、前記整流体の角度変更範囲は、前記凹部板７８の高さで増減し、この角度変更範囲を変更するには、たとえば、高さの異なる凹部板を備えた整流体を用意し、目的の凹部板を有した整流体に交換することで達成できる。
また、整流体を直接通気カバーに軸支しても良い。
【００２２】
以下、角度が変更される整流体７の他の角度変更構造を説明する。（図１０、図１１参照）
本形態の角度変更構造は、整流体７の角度変更および固定をラチェット８によって制御するようにしたものであり、前記と重複する部位についての説明は、同符号を付すことにより省略する。
また、ラチェット８は、前記で例示したラチェット５と略同様の構成であるので詳細な説明は省略する。
ラチェット８は、前記整流体７の左右側面に設けられた弾性嵌合体８２Ｌ，８２Ｒと、軸支板４５の左右側面に上下方向に設けられた嵌合凹部８３Ｌ，８３Ｒとからなる。
すなわち、本形態の角度変更構造によれば、整流体７をラチェット８の弾性力よりも大きい力でもって、整流体８の後端部を上下動させて整流体８の前後回動をすることによって、整流体８の角度を変更することができる。
【００２３】
なお、本形態における前記整流体の角度変更範囲は、嵌合凹部における凹部の数で増減し、この角度変更範囲を変更するには、たとえば、凹部の数が異なる嵌合凹部を備えた整流体を用意し、目的の嵌合凹部を有した整流体に交換することで達成できる。
また、整流体を直接通気カバーに軸支しても良い。
【００２４】
以下、本形態のヘルメットＣにおける整流体のスライド構造および角度変更構造を説明する。（図１２，図１３）
前記ヘルメットＡ，Ｂでは、整流体４，７が前記通気カバー３Ｌ，３Ｒに関連して設けられたものであるが、本形態では、整流体９を前記通気カバー３Ｌ，３Ｒとは独立して設けたヘルメットＣにしている。
図１２に示す整流体９は、帽体１に対して前後スライド可能に設けられたスライド整流体９１と、スライド整流体９１の中央部に角度変更可能に設けられた角度変更整流体９２とから構成されている。
前記スライド整流体９１は、前方にスライド距離を確保するための長孔部９３が形成され、当該長孔部９３から帽体１へビス１２をねじ込み、当該ビス１２を緩めることによって前後スライドする。
また、前記角度変更整流体９２は、スライド整流体１に対して回動して整流面９４の角度を変更するものであり、その角度変更構造については前記ヘルメットＢにおける角度変更構造が適用できるので、図示及び説明は省略する。
すなわち、図１２に示す整流体９は、スライド整流体９１が帽体１に対して前後スライドして整流面９４の位置を変更するとともに、角度変更整流板９２が回動して整流面９４の角度を変更するものである。
【００２５】
図１３に示す整流体９は、帽体１に対して固定された固定整流体９５と、固定整流体９５の中央部に角度変更可能に設けられた角度変更整流体９６とから構成されている。
前記角度変更整流体９６は、固定整流体９５に対して回動して整流面９４の角度を変更するものであり、その角度変更構造については前記ヘルメットＢにおける角度変更構造が適用できるので、図示及び説明は省略する。
すなわち、図１２に示す整流体９は、角度変更整流板９６が回動して整流面９４の角度を変更するものである。
【００２６】
図１４に示す整流体１０は、通気カバー３に前後スライド可能、または角度変更可能に設けられたものである。
本形態の通気カバー３は、左右のカバー部３０Ｌとカバー部３０Ｒが、整流体１０を取り付ける部位の前方の連結部３０を介して一体化されたものである。
図中、符号３００はカバー部３０Ｌ，３０Ｒの先端に開孔された吸気口、符号３０１は吸入口３００から取り入れる空気の量を調整するためにカバー部３０Ｌ，３０Ｒの上面に開孔されたスイッチ機構設置孔、符号３０２はカバー部３０Ｌ，３０Ｒの後端に開孔された排気口である。
本形態の通気カバー３によれば、当該通気カバー３と整流体１０とがユニット化されるので、取付け作業の効率化を図ることができる。
また、従来の通気カバーの機能を損なわず、重量的に最小限で角度調整可能な整流体を設けることができ、意匠的にも洗練されたものとすることができる。
【００２７】
なお、本発明は、例示した実施の形態に限定するものでは無く、特許請求の範囲の各項に記載された内容から逸脱しない範囲の構成による実施が可能である。
【図面の簡単な説明】
【００２８】
【図１】本発明に係るヘルメットの斜視図。
【図２】図１の（２）−（２）線断面図。
【図３】他の例を示す要部拡大図で一部切欠して示す。
【図４】図３の（４）−（４）線斜視図。
【図５】他の例を示す要部拡大図。
【図６】図５の（６）−（６）線断面図。
【図７】他の例を示す要部拡大図。
【図８】図７の（８）−（８）線断面図。
【図９】図７の（９）−（９）線断面図。
【図１０】他の例を示す要部断面図。
【図１１】図１０の（１１）−（１１）線断面図。
【図１２】他の例を示す要部斜視図。
【図１３】他の例を示す要部斜視図。
【図１４】他の例を示す要部斜視図。
【符号の説明】
【００２９】
Ａ：ヘルメット
Ｂ：ヘルメット
Ｃ：ヘルメット
１：帽体
２Ｌ：排気孔
２Ｒ：排気孔
３Ｌ：通気カバー
３Ｒ：通気カバー
４：整流体
５：ラチェット
６：スライドガイド部
７：整流体
８：ラチェット
９：整流体
１０：整流体
１２：ビス
３１：吸気口
３２：排気口
４１：整流面
４２：長孔
４５：軸支板
Ｓ：空間
７１：整流面
７２：ボルト
７５：ダイヤル
７６：レバー
７８：凹部板
７９：凸部
９１：スライド整流板
９２：角度変更整流板
９３：長孔
９４：整流面
９５：固定整流板
９６：角度変更整流板
３００：吸気口
３０１：スイッチ機構設置孔
３０２：排気口
【図１】
2006299456.tif 000003
【図２】
2006299456.tif 000004
【図３】
2006299456.tif 000005
【図４】
2006299456.tif 000006
【図５】
2006299456.tif 000007
【図６】
2006299456.tif 000008
【図７】
2006299456.tif 000009
【図８】
2006299456.tif 000010
【図９】
2006299456.tif 000011
【図１０】
2006299456.tif 000012
【図１１】
2006299456.tif 000013
【図１２】
2006299456.tif 000014
【図１３】
2006299456.tif 000015
【図１４】
2006299456.tif 000016